(57)【要約】      （修正有）【課題】装着者の身元を表示すると共に、装着者には身元表示のためのものであると覚られにくいボタンを提供する。【解決手段】衣服などに装着されるボタン１０であって、ボタン本体１１の裏面側には身元情報の種類を示す情報種類表示部１４と身元情報を記入する記入欄１５とを設ける。【選択図】図２
0003194692.tif 000002
【実用新案登録請求の範囲】
【請求項１】
衣服などに装着されるボタンであって、ボタン本体の裏面側には身元情報の種類を示す情報種類表示部と身元情報を記入する記入欄とを設けたことを特徴とするボタン。
【請求項２】
上記身元情報は、氏名、住所、電話番号であることを特徴とする請求項１に記載のボタン。
【請求項３】
上記情報種類表示部及び上記記入欄は、シールに印刷されて貼付されていることを特徴とする請求項１または２に記載のボタン。
【請求項４】
上記記入欄に、上記身元情報が印刷されたシールが貼付されていることを特徴とする請求項１〜３の何れか１項に記載のボタン。
【請求項５】
上記記入欄に、上記身元情報が刻印されていることを特徴とする請求項１または２に記載のボタン。
【考案の詳細な説明】
【技術分野】
【０００１】
本考案は、ボタンの改良に関するものである。
【背景技術】
【０００２】
現代においては、人口に占める高齢者の割合が増加し、高齢者の身の安全を確保することは重要な課題となっている。また、年齢を重ねることにより、例えば痴呆症などを患い、介護者の目の届かぬうちに徘徊してしまうといった事態が発生している。
【０００３】
このような状況においては、徘徊場所が近隣で、被介護者の顔を知る人により保護されるということであれば、介護者の家に連絡をもらい身柄を引取ることも可能である。
【０００４】
しかしながら、顔を知る人もいない場所へと徘徊してしまった場合、保護されても被介護者の身元がわからず、連絡を取ることが困難であり、被介護者本人は基より、保護した人や介護者への負担も大きくなってしまっていた。
【０００５】
そこで、身元が表示され腕時計の裏面に貼りつけて使用する身元確認シールが特許文献１により既に開示されている。
【０００６】
しかしながら、腕時計は痴呆症患者が常に身に着けているものではなく、上記のような予期せぬ徘徊の際には、有効であるとは言えなかった。また、身元表示がされているとわかる物品は、痴呆症患者が身に着けることを拒んだりする事例もあった。
【０００７】
そこで、本考案者は、常に身に着けてもらうことができ、且つ、被介護者に身元表示を付した物品であることを覚られ難いものとして、衣服などに取付けることが可能なボタンを挙げ、ボタンに関する文献の調査を行い特許文献２及び３を確認したが、いずれも装飾に関する文献であり、本考案のような観点を有しているものではなかった。
【特許文献１】公開特許第２００７−２４８４４０号公報
【特許文献２】登録実用新案第３１４２１１３号公報
【特許文献３】登録実用新案第３１３１８４２号公報
【考案の開示】
【考案が解決しようとする課題】
【０００８】
そこで、本考案は、このような従来の要請に基づくものであって、装着者の身元を表示すると共に、装着者には身元表示のためのものであると覚られにくいボタンを提供することを課題とする。
【課題を解決するための手段】
【０００９】
上記課題を解決するために、請求項１に記載のボタンにあっては、衣服などに装着されるボタンであって、ボタン本体の裏面側には身元情報の種類を示す情報種類表示部と身元情報を記入する記入欄とを設けたことを特徴とする。従って、ボタンの裏面には情報種類と身元情報が表示されている。
【００１０】
請求項２に記載のボタンにあっては、上記身元情報は、氏名、住所、電話番号であることを特徴とする。従ってボタンの裏面には氏名、住所、電話番号が表示されている。
【００１１】
請求項３に記載のボタンにあっては、上記情報種類表示部及び上記記入欄は、シールに印刷されて貼付されていることを特徴とする。
【００１２】
請求項４に記載のボタンにあっては、上記記入欄に、上記身元情報が印刷されたシールが貼付されていることを特徴とする。
【００１３】
請求項５に記載のボタンにあっては、上記記入欄に、上記身元情報が刻印されていることを特徴とする。従ってボタンの裏面には刻印による凹部よって身元情報が表示されている。
【考案の効果】
【００１４】
請求項１及び２に記載のボタンにあっては、予め装着者の身元情報を表示したボタンを装着させることにより、装着者を知らない第三者であっても、ボタンの裏面を確認することにより、装着者の身元を確認することが出来る。身元情報が氏名、住所、電話番号であるため、保護者は、装着者の家に連絡を取ったり、身柄を届けたりすることが出来る。
【００１５】
また、例えば、被介護者の複数の衣服に本考案に係るボタンを予め装着しておくことにより、衣服を着替えても身元表示を確実に行うことが出来る。ボタンの裏面に身元表示したことにより、被介護者に身元表示の存在を気づかれ難いため、自身が監視されているという警戒感や嫌悪感を抱かれずに、自然に装着させることが出来る。
【００１６】
請求項３及び４に記載のボタンにあっては、シールに印刷したものを貼りつけるため、製作が容易であり、コスト低減することが出来る。
【００１７】
請求項５に記載のボタンにあっては、刻印により文字部を凹部で形成しているため、洗濯等により剥がれてしまうことがなく、長期に使用することが出来る。
【図面の簡単な説明】
【００１８】
【図１】図１は、本考案に係るボタンの第一の実施の形態を示した斜視図である。
【図２】図２は、本考案に係るボタンの第一の実施の形態を示した裏面図である。
【図３】図３は、本考案に係るボタンの第一の実施の形態を示し、身元情報の表示を施した状態を示す裏面図である。
【考案を実施するための最良の形態】
【００１９】
以下、本考案に係るボタン１０を実施の形態に基づき、図面を参照して詳細に説明する。
本考案に係るボタン１０における第一の実施の形態は、衣服などに装着されるボタンであって、ボタン本体１１の裏面側１２には身元情報の種類を示す情報種類表示部１４と、身元情報を記入する記入欄１５が設けられている。
【００２０】
図１に示すように、ボタン１０は、金属製であり、円盤状のボタン本体１１と裏面側１２に固定され半リング状に形成されている結束部１６を有している。
図２に示すように、上記身元情報は、氏名１７、住所１８、電話番号１９であり、上記情報種類表示部１４には、英語表記で、上記氏名１７を示すＮＡＭＥ、上記住所１８を示すＡＤＤＲＥＳＳ、上記電話番号１９を示すＰＨＯＮＥ
Ｎｏ．と表記されている。
【００２１】
また上記情報種類表示部１４に隣接して枠状の記入欄１５が設けられている。上記情報種類表示部１４と記入欄１５は、ボタン本体１１の外周形状に添うように設けられている。上記情報種類表示部１４及び上記記入欄１５は、シール（図示せず）に印刷されて貼付されている。
【００２２】
図３に示すように、上記記入欄１５には、装着者である被介護者の個別具体的な身元情報２０，２１，２２が印刷されたシール（図示せず）が貼付されている。上記身元情報は、被介護者の氏名２０、被介護者の住所２１、被介護者の電話番号２２である。
【００２３】
本考案に係るボタン１０における第二の実施の形態においては、上記ボタン本体１１の裏面側１２に、上記情報種類表示部１４と記入欄１５がレーザー刻印されており、上記記入欄１５に、上記身元情報２０，２１，２２がレーザー刻印されている。上記以外の構成は第一の実施の形態と同様である。
【００２４】
上記レーザー刻印とは、予め登録された形状に沿って物品の表面にレーザーを照射し、照射部を溶融もしくは蒸発させることにより、上記形状の溝部を形成させ、上記形状を物品の表面に描く方法である。
【００２５】
以下、本実施の形態に係るボタン１０の作用について説明する。本実施の形態に係るボタン１０は、以上のような構成を有することから、結束部１６と衣服を糸によって縫合することによって取付けられる。
【００２６】
ボタン本体１１の裏面側１２に被介護者の氏名２０、被介護者の住所２１、被介護者の電話番号２２が表示されているため、上記のように衣服に取付けた際には、上記身元情報２０，２１，２２は衣服によって隠れ目立つことがない。
【００２７】
また、例えば、１つの種類のボタンが複数個設けられた衣服のボタンのうち、１つを他のボタンと同じ外観を有すると共に裏面側１２には身元情報２０，２１，２２を施した上記ボタン１０とすることにより、衣服の外観上に違和感を与えることもない。
【００２８】
また、衣服に固定されたボタン１０を手で押さえて裏面側１２から覗くことが出来るため、必要時には、被介護者の氏名２０、被介護者の住所２１、被介護者の電話番号２２を確認することができる。
【００２９】
上記実施の形態においては、情報種類表示部１４は、英語表記である例を説明したが、特に限定されるものではなく、日本語表記であっても他の言語であっても良い。身元情報においても同様である。
【００３０】
上記実施の形態においては、記入欄１５は、シールに印刷されたもの及びレーザー刻印により枠状の溝で描かれたものを例に説明したが、特に限定されるものではなく、記入欄１５全体の面が凹部として周囲よりも内面側に位置するように形成されていても良い。
【産業上の利用可能性】
【００３１】
本考案に係るボタンは、様々な形状のボタンに適用することが可能であり、製造販売を行うことが出来るため産業上の利用可能性を有している。
【符号の説明】
【００３２】
１０    ボタン
１１    ボタン本体
１２    裏面側
１４    情報種類表示部
１５    記入欄
１６    結束部
１７    氏名（ＮＡＭＥ）
１８    住所（ＡＤＤＲＥＳＳ）
１９    電話番号（ＰＨＯＮＥ
Ｎｏ．）
２０    被介護者の氏名
２１    被介護者の住所
２２    被介護者の電話番号
【図１】
0003194692.tif 000003
【図２】
0003194692.tif 000004
【図３】
0003194692.tif 000005